(57)【要約】【課題】  本発明は、記録テストの結果を履歴として情報記録媒体に記録するのでレーザ部の劣化を早期に知ることができ、また情報記録媒体における複数の位置で記録テストを行うので記録テストの精度を向上することができる、情報記録再生装置及び記録テスト方法を提供することを目的とする。【解決手段】  本発明の情報記録再生装置は、領域分割手段と記録テスト実行手段と記録テスト結果記憶手段とを有している。領域分割手段は、情報記録媒体において記録処理に先立って行う記録テストを実行する複数の記録テスト領域と記録テストの結果を記録する複数の記録テスト結果記憶領域とに分割する。記録テスト実行手段は、所定の記録テスト領域に対して記録テストを行う。記録テスト結果記憶手段は、記録テストを行った際の記録テスト結果を所定の記録テスト結果記憶領域に記録する。【選択図】        図２
2005339747.tif 000002
【特許請求の範囲】
【請求項１】
レーザ部からのレーザ光によって情報記録媒体に情報の記録、再生を行う情報記録再生装置において、
情報記録媒体において記録処理に先立って行う記録テストを実行する複数の記録テスト領域と記録テストの結果を記録する複数の記録テスト結果記憶領域とに分割する領域分割手段と、
所定の前記記録テスト領域に対して記録テストを行う記録テスト実行手段と、
記録テストを行った際の記録テスト結果を所定の前記記録テスト結果記憶領域に記録する記録テスト結果記憶手段と
を有することを特徴とする情報記録再生装置。
【請求項２】
前回の記憶テスト結果があれば今回の記録テストの結果を前回の記録テストと比較する比較手段と、該比較手段による比較結果に基づいて前記レーザ部の劣化又は劣化の兆候を検出判断する判断手段とを有する請求項１記載の情報記録再生装置。
【請求項３】
ユーザデータの記録時間を計時する記録時間計時手段と、計時した記録時間を記憶する記録時間記憶手段と、記録時間の総計が所定時間を超えた時記録テストを行うことをユーザに通知する通知手段とを有する請求項１又は２に記載の情報記録再生装置。
【請求項４】
レーザ部の点灯時間を計時するレーザ部点灯時間計時手段と、計時したレーザ部の点灯時間を記憶するレーザ部点灯時間記憶手段と、レーザ部の点灯時間の総計が所定時間を超えた時記録テストを行うことをユーザに通知する通知手段とを有する請求項１〜３のいずれかに記載の情報記録再生装置。
【請求項５】
前記判断手段によりレーザ部の劣化又は劣化の兆候を検出判断した場合、あるいは記録時間の総計又はレーザ部の点灯時間の総計が所定時間を超えた場合、記録テストを行う間隔を短くする記録テスト実行間隔短縮手段を有する請求項１〜４のいずれかに記載の情報記録再生装置。
【請求項６】
前記領域分割手段は、情報記録媒体において記録処理に先立って行う記録テストを実行する複数の記録テスト領域を含む記録テスト領域群と各記録テストの結果を記録する複数の記録テスト結果記憶領域郡に分割する請求項１〜５のいずれかに記載の情報記録再生装置。
【請求項７】
前記領域分割手段は、記録テストを実行する記録テスト領域の直後に当該記録テスト領域における記録テストの結果を記録する記録テスト結果記憶領域を設けるように情報記録媒体を分割する請求項６に記載の情報記録再生装置。
【請求項８】
前記領域分割手段は、情報記録媒体の複数の領域にそれぞれ設けられた前記記録テスト領域群を複数設けるように分割し、かつ前記各記録テスト領域群内の所定の記録テスト領域毎に対して行った全ての記録テストの結果を記憶する記録テスト結果記憶領域を複数有する前記記録テスト結果記憶領域郡を設けるように情報記録媒体を分割する請求項１〜５に記載の情報記録再生装置。
【請求項９】
レーザ部からのレーザ光によって情報記録媒体に情報の記録、再生を行う情報記録再生装置であってユーザデータの記録に先立って行う記録テストを行う記録テスト方法において、
情報記録媒体において記録処理に先立って行う記録テストを実行する複数の記録テスト領域と記録テストの結果を記録する複数の記録テスト結果記憶領域とに分割し、所定の前記記録テスト領域に対して記録テストを行い、記録テストを行った際の記録テスト結果を所定の前記記録テスト結果記憶領域に記録することを特徴とする記録テスト方法。
【請求項１０】
前回の記憶テスト結果があれば今回の記録テストの結果を前回の記録テストと比較し、比較結果に基づいて前記レーザ部の劣化又は劣化の兆候を検出判断する請求項９記載の記録テスト方法。
【請求項１１】
ユーザデータの記録時間を計時し、計時した記録時間を記憶し、記録時間の総計が所定時間を超えた時記録テストを行うことをユーザに通知する請求項９又は１０に記載の記録テスト方法。
【請求項１２】
レーザ部の点灯時間を計時し、計時したレーザ部の点灯時間を記憶し、レーザ部の点灯時間の総計が所定時間を超えた時記録テストを行うことをユーザに通知する請求項９〜１１のいずれかに記載の記録テスト方法。
【請求項１３】
レーザ部の劣化又は劣化の兆候を検出判断した場合、あるいは記録時間の総計又はレーザ部の点灯時間の総計が所定時間を超えた場合、記録テストを行う間隔を短くする請求項９〜１２のいずれかに記載の記録テスト方法。
【請求項１４】
コンピュータにより、請求項９〜１３のいずれかに記載の記録テスト方法を実行するためのプログラム。
【発明の詳細な説明】
【技術分野】
【０００１】
本発明は情報記録再生装置、記録テスト方法及び該方法を実行するためのプログラムに関し、詳細には記録に先立って行う記録テストの技術に関する。
【背景技術】
【０００２】
現在、普及されている情報記録媒体として、ＷＯＲＭ、ＭＯ、ＣＤ−Ｒ、ＣＤ−ＲＷ、ＤＶＤ−ＲＡＭなどがある。これらの情報記録媒体に光学的に情報を書き込みを行ったり、あるいは情報記録媒体に記録されている情報を読み出す情報記録再生装置は、長期間使用すると、光源である例えば半導体レーザが劣化する。そのため、書き込み品質の低下、書き込みエラー、あるいは読み取りエラーなどの障害を発生させる可能性がある。よって、書き込んだデータをチェックし、つまりそのデータを読み込み、正しく読めるかを検証する記録テストを行う必要がある。しかし、この記録テストには時間がかかるため、検証の頻度を多くするわけにはいかない。そのため、書き込み処理が正常終了しても、長時間経過後でデータが読めなくなる、という問題が発生する。また、再生が多く、記録が少ない場合に、記録テストを行う間隔が長くなり、半導体レーザの劣化を早期発見できない場合がある。
【０００３】
そこで、これらの問題点を解決するための提案が従来よりいくつかなされている。その一つとしての特許文献１によれば、記録に先立って行う記録テストにおいて、レーザパワーの不足によって記録エラーを起こしたとき、記録速度を遅くして相対的にレーザパワーを大きくして記録するとき、記録エラーを起こした記録速度に関する情報を光ディスク上に蓄積しておき、再度記録テストを行うときに情報を読み出し、既に記録エラーを起こした記録速度で記録テストを行わないようにした光ディスク記録装置が提案されている。
【特許文献１】特許第３，２６４，２２３号明細書
【発明の開示】
【発明が解決しようとする課題】
【０００４】
しかしながら、上記特許文献１のような方法では、回転速度を落として試し書きに成功しても、結局のところ半導体レーザが劣化しているのでユーザデータが正常に書かれているかどうかは分からない。一般的に、ＣＤやＤＶＤなどは、書き込み後のデータの検証は行わないので後で読み込もうとした時に読めない可能性がある。一方、内周と外周では記録テスト結果に差異が生じる可能性があり、定期的に記録テストを行う必要がある。また、再生処理が多くて記録処理が少ない場合には、記録テストを行う間隔が長くなり、半導体レーザの劣化を早期発見できない場合がある。更に、長期間使用すると半導体レーザの劣化の進行が速くなり、半導体レーザの劣化を早期発見できない場合がある。
【０００５】
本発明はこれらの問題点を解決するためのものであり、記録テストの結果を履歴として情報記録媒体に記録するのでレーザ部の劣化を早期に知ることができ、また情報記録媒体における複数の位置で記録テストを行うので記録テストの精度を向上することができる、情報記録再生装置及び記録テスト方法を提供することを目的とする。
【課題を解決するための手段】
【０００６】
前記問題点を解決するために、本発明の情報記録再生装置は、領域分割手段と記録テスト実行手段と記録テスト結果記憶手段とを有している。領域分割手段は、情報記録媒体において記録処理に先立って行う記録テストを実行する複数の記録テスト領域と記録テストの結果を記録する複数の記録テスト結果記憶領域とに分割する。記録テスト実行手段は、所定の記録テスト領域に対して記録テストを行う。記録テスト結果記憶手段は、記録テストを行った際の記録テスト結果を所定の記録テスト結果記憶領域に記録する。よって、レーザ部の劣化を知ることができる。
【０００７】
また、本発明の情報記録再生装置は、前回の記憶テスト結果があれば今回の記録テストの結果を前回の記録テストと比較する比較手段と、該比較手段による比較結果に基づいて情報記録媒体に情報の記録、再生を行うためにレーザ光を照射するレーザ部の劣化又は劣化の兆候を検出判断する判断手段とを有する。よって、レーザ部の劣化又は劣化の兆候をより早期に知ることができる。
【０００８】
更に、本発明の情報記録再生装置は、ユーザデータの記録時間を計時する記録時間計時手段と、計時した記録時間を記憶する記録時間記憶手段と、記録時間の総計が所定時間を超えた時記録テストを行うことをユーザに通知する通知手段とを有する。よって、定期的に記録テストを行うことができ、レーザ部の劣化をより早期に知ることができる。
【０００９】
また、本発明の情報記録再生装置は、レーザ部の点灯時間を計時するレーザ部点灯時間計時手段と、計時したレーザ部の点灯時間を記憶するレーザ部点灯時間記憶手段と、レーザ部の点灯時間の総計が所定時間を超えた時記録テストを行うことをユーザに通知する通知手段とを有する。よって、記録処理が行われない場合でもレーザ部の劣化を早期に発見することができる。
【００１０】
更に、本発明の情報記録再生装置は、判断手段によりレーザ部の劣化又は劣化の兆候を検出判断した場合、あるいは記録時間の総計又はレーザ部の点灯時間の総計が所定時間を超えた場合記録テストを行う間隔を短くする記録テスト実行間隔短縮手段を有する。よって、使用状況に応じて記録テストの実行間隔が変わり、またレーザ部の劣化具合によって記録テストの実行間隔を短くでき、レーザ部の急速な劣化を早期に発見できる。
【００１１】
また、領域分割手段は、情報記録媒体において記録処理に先立って行う記録テストを実行する複数の記録テスト領域を含む記録テスト領域群と各記録テストの結果を記録する複数の記録テスト結果記憶領域郡に分割することが好ましい。
【００１２】
更に、領域分割手段は、記録テストを実行する記録テスト領域の直後に当該記録テスト領域における記録テストの結果を記録する記録テスト結果記憶領域を設けるように情報記録媒体を分割する。よって、次回記録テストを行う際以前の記録テストの結果を取得することが容易になる。
【００１３】
また、領域分割手段は、情報記録媒体の複数の領域にそれぞれ設けられた記録テスト領域群を複数設けるように分割し、かつ各記録テスト領域群内の所定の記録テスト領域毎に対して行った全ての記録テストの結果を記憶する記録テスト結果記憶領域を複数有する記録テスト結果記憶領域郡を設けるように情報記録媒体を分割する。よって、記録テストの精度を向上することができる。
【００１４】
更に、別の発明としての記録テスト方法によれば、情報記録媒体において記録処理に先立って行う記録テストを実行する複数の記録テスト領域と記録テストの結果を記録する複数の記録テスト結果記憶領域とに分割する。そして、所定の記録テスト領域に対して記録テストを行い、記録テストを行った際の記録テスト結果を所定の記録テスト結果記憶領域に記録する。よって、レーザ部の劣化を知ることができる。
【００１５】
また、前回の記憶テスト結果があれば今回の記録テストの結果を前回の記録テストと比較し、比較結果に基づいてレーザ部の劣化又は劣化の兆候を検出判断することにより、レーザ部の劣化又は劣化の兆候をより早期に知ることができる。
【００１６】
更に、ユーザデータの記録時間を計時し、計時した記録時間を記憶し、記録時間の総計が所定時間を超えた時記録テストを行うことをユーザに通知することにより、定期的に記録テストを行うことができ、レーザ部の劣化をより早期に知ることができる。
【００１７】
また、レーザ部の点灯時間を計時し、計時したレーザ部の点灯時間を記憶し、レーザ部の点灯時間の総計が所定時間を超えた時記録テストを行うことをユーザに通知することにより、記録処理が行われない場合でもレーザ部の劣化を早期に発見することができる。
【００１８】
更に、レーザ部の劣化又は劣化の兆候を検出判断した場合、あるいは記録時間の総計又はレーザ部の点灯時間の総計が所定時間を超えた場合、記録テストを行う間隔を短くすることにより、レーザ部の劣化具合によって記録テストの実行間隔を短くでき、レーザ部の急速な劣化を早期に発見できる。
【発明の効果】
【００１９】
本発明の情報記録再生装置によれば、定期的に記録テストを行うことができ、かつレーザ部の劣化を早期に知ることができと共に、記録テストの精度を向上することができる。また記録処理が行われない場合でも、使用状況に応じて記録テストの実行間隔が変わり、またレーザ部の劣化具合によって記録テストの実行間隔を短くでき、レーザ部の急速な劣化を早期に発見できる。
【発明を実施するための最良の形態】
【００２０】
図１は本発明の情報記録再生装置の構成を示すブロック図である。同図に示す本発明の情報記録再生装置１００は、情報記録媒体２００を回転させるモータ１０１、モータ１０１の駆動制御を行う回転制御部１０２、情報記録媒体２００に対して情報を記録・再生するためにレーザ光を照射するレーザ部（図示せず）を有する光ピックアップ１０３、光ピックアップ１０３の制御を行うアクチュエータ制御部１０４、光ピックアップ１０３からの信号を制御する信号制御部１０５、情報記録再生装置１００全体の制御を行うドライブコントローラ１０６、ユーザデータ記録時間、またはレーザ部の点灯時間を記憶する不揮発性メモリ１０７、光ピックアップ１０３のレーザ部を駆動するレーザ駆動回路１０８、ホスト装置３００とコマンド、データ等の送受信を行うホストインターフェイス１０９、記録テストを実行、制御する記録テスト部１１０を含んで構成されている。
【００２１】
ここで、図２は図１の記録テスト部１１０の構成を示すブロック図である。図２に示すように、記録テスト部１１０は、情報記録媒体２００を後述する複数の記録テスト領域や複数の記録テスト結果記憶領域、あるいはこれらの領域を含む複数のブロックに分割する領域分割手段１１１、記録テスト処理を実行するための指示制御信号をドライブコントローラ１０６に供給する記録テスト実行手段１１２、記録テストの結果を情報記録媒体２００に設けられた所定の記録テスト結果記憶領域に記憶する記録テスト結果記憶手段１１３、今回の記録テスト結果と前回の記録テスト結果とを比較する比較手段１１４、ユーザに記録テストの実施要を促す通知やレーザ部の劣化又は劣化の兆候有りの旨の通知を行う通知手段１１５、比較手段１１４による比較結果に基づいてレーザ部の劣化又は劣化の兆候有り（例えば記録パワーにおける正常時との差など）を判断する判断手段１１６、レーザ部の点灯時間やユーザデータの記録時間を計時する計時手段１１７及び記録テスト処理における制御を行う記録テスト制御手段１１８を含んで構成されている。なお、ホスト装置３００は、情報記録再生装置１００を制御するパソコン等である。
【００２２】
次に、本発明の第１の実施の形態例に係る記録テスト方法の処理について図１及び図２並びに記録テスト処理フローを示す図３に従って説明する。
はじめに、記録テストの実行を行う前に、次のように記録テスト用の情報記録媒体を作成する。図２の記録テスト部１１０における記録テスト制御手段１１８の指示により領域分割手段１１１は、装填された情報記録媒体２００に対して、情報記録媒体における領域分割の内容を示す図である図４に示すようなＮ（Ｎは正の整数）個の記録テスト領域１〜Ｎ及びＮ個の記録テスト結果記憶領域１〜Ｎに領域分割を行うようにドライブコントローラ１０６を介して装填された情報記録媒体２００を領域分割し、記録テスト用の情報記録媒体を作成する。次に、記録テスト実行手段１１２は作成された記録テスト用の情報記録媒体２００の１つの領域に、例えば記録テスト領域１に記録テストを行い（ステップＳ１０１）、記録テスト結果記憶手段１１３によって記録テスト領域１に対する記録テスト結果１を情報記録媒体２００の１つの記録テスト結果記憶領域、例えば記録テスト結果記憶領域１に記録する（ステップＳ１０２）。ここで、記録テスト結果とは、記録を行うために測定した記録パワー、記録品質（例えば、エラーレートなど）の測定結果などである。そして、記録テストの回数が２回以上であるか判定し（ステップＳ１０３）、つまり前回の記録テスト結果があるか否かを判定して、前回の記録テスト結果があれば（ステップＳ１０３；ＹＥＳ）、図２の比較手段１１４によって今回の記録テスト結果と前回の記録テスト結果を比較する（ステップＳ１０４）。比較した結果レーザ部が劣化している場合又は劣化の兆候がある場合は（ステップＳ１０５；ＹＥＳ）判断手段１１６によってレーザ部の劣化又は劣化の兆候有りと判断されて、そしてレーザ部の劣化又は劣化の兆候有りの旨、あるいはユーザに記録テストの実施要を促す通知を通知手段１１５によってユーザに通知すると共に（ステップＳ１０６）、次に記録テストを行うまでの間隔を短く設定する（ステップＳ１０７）。
【００２３】
ここで、第１の実施の形態例の記録テスト方法では図４に示すように記録テスト領域１〜Ｎと記録テスト結果記憶領域１〜Ｎを異なる記録領域に設けているがこれに限定する必要はなく、例えば記録テスト領域１の直後に記録テスト結果記憶領域１を、そのまた直後に記録テスト領域２を、そしてその直後に記録テスト結果記録領域２を設けるように、記録テスト領域の直後に当該記録テスト領域に対応する記録テスト結果記憶領域を設けても良い。この場合、記録テストを行った後の記録テスト結果と前回の記録テスト結果をまとめて記録テスト結果記録領域に記憶することにより、つまり累積の記録テスト結果を記憶することにより、次回の記録テストを行う際以前の結果全てを取得することが容易に行うことができると共に、記録テストの履歴に基づいてレーザ部の劣化診断を精度良く行うことができる。
【００２４】
次に、本発明の第２の実施の形態例の情報記録再生装置における記録テスト処理の動作について図１及び図２並びに第２の実施の形態例における記録テスト処理フローを示す図５に従って説明する。
【００２５】
はじめに、記録テストの実行を行う前に、次のように記録テスト用の情報記録媒体を作成する。図２の記録テスト部１１０における記録テスト制御手段１１８の指示により領域分割手段１１１は、装填された情報記録媒体２００に対して、情報記録媒体における別の領域分割の内容を示す図である図６に示すようなＭ（Ｍは正の整数）個の記録テストブロック１〜Ｍに分け、更に各記録テストブロック内をＮ個の記録テスト領域に領域分割を行い、そして各記録テストブロック１〜Ｍの同じ位置の領域に対して行った記録テストの結果、つまりＮ個の記録テスト結果を記録する記録テスト結果記憶領域１〜Ｎを分割領域するように、ドライブコントローラ１０６を介して装填された情報記録媒体２００を領域分割し、記録テスト用の情報記録媒体を作成する。次に、記録テスト実行手段１１２は記録テスト用として作成された情報記録媒体２００の各ブロック１〜Ｍ毎の１つの領域に対して、例えばブロック１〜Ｍの各記録テスト領域１の全てに記録テストを行い（ステップＳ２０１，ステップＳ２０２；ＹＥＳ）、記録テスト結果記憶手段１１３によって例えば各記録テスト領域１に対する各記録テスト結果１を情報記録媒体２００の１つの記録テスト結果記憶領域、例えばブロック１〜Ｍの記録テスト結果記憶領域１に記録する（ステップＳ２０３）。そして、記録テストの回数が２回以上であるか判定し（ステップＳ２０４）、つまり前回の記録テスト結果があるか否かを判定して、前回の記録テスト結果があれば（ステップＳ２０４；ＹＥＳ）、図２の比較手段１１４によって今回の記録テスト結果と前回の記録テスト結果を比較する（ステップＳ２０５）。比較した結果レーザ部が劣化している場合、あるいは劣化の兆候がある場合は（ステップＳ２０６；ＹＥＳ）判断手段１１６によってレーザ部の劣化又は劣化の兆候有りと判断されて、そしてレーザ部の劣化又は劣化の兆候有りの旨、あるいはユーザに記録テストの実施要を促す通知を通知手段１１５によってユーザに通知すると共に（ステップＳ２０７）、記録テストを行う間隔を短縮する（ステップＳ２０８）。
【００２６】
次に、本発明の情報記録再生装置における記録テスト処理の記録テスト実行管理動作について当該記録テスト実行管理動作フローを示す図７に従って説明する。
【００２７】
先ず、図３及び図５に示すような各実施の形態例の記録テストの実行後に、図２の計時手段１１７によってユーザデータの記録時間の計時を開始する（ステップＳ３０１，Ｓ３０２）。ここで、計時したユーザデータの記録時間は、ドライブコントローラ１０６を介して図１の不揮発性メモリ１０７に記憶される。そして、ユーザデータの記録時間の総計が所定時間を超えるまで監視し（ステップＳ３０３；ＮＯ）、ユーザデータの記録時間の総計が所定時間を超えた場合（ステップＳ３０３；ＹＥＳ）、記録テストの実施要を促す旨を通知手段１１５によってユーザに通知する（ステップＳ３０４）。よって、記録テストを行うことを通知されたユーザは、定期的に、記録テスト用の情報記録媒体で記録テストを開始することができ、レーザ部の劣化を早期発見できる。
【００２８】
次に、本発明の情報記録再生装置における記録テスト処理の別の記録テスト実行管理動作について当該記録テスト実行管理動作フローを示す図８に従って説明する。
【００２９】
先ず、図３及び図５に示すような各実施の形態例の記録テストの実行後に、図２の計時手段１１７によってレーザ部の点灯時間の計時を開始する（ステップＳ４０１，Ｓ４０２）。ここで、計時したレーザ部の点灯時間は、ドライブコントローラ１０６を介して図１の不揮発性メモリ１０７に記憶される。そして、レーザ部の点灯時間の総計が所定時間を超えるまで監視し（ステップＳ４０３；ＮＯ）、レーザ部の点灯時間の総計が所定時間を超えた場合（ステップＳ４０３；ＹＥＳ）記録テストの実施要を促す旨を通知手段１１５によってユーザに通知する（ステップＳ４０４）。よって、記録テストを行うことを通知されたユーザは、ユーザデータの記録動作が殆ど行われない場合にも、定期的に記録テスト用の情報記録媒体で記録テストを開始することができ、レーザ部の劣化を早期発見できる。
【００３０】
次に、本発明の情報記録再生装置における記録テスト処理の別の記録テスト実行管理動作について当該記録テスト実行管理動作フローを示す図９に従って説明する。
【００３１】
先ず、図３及び図５に示すような各実施の形態例の記録テストの実行後に、図２の計時手段１１７によってユーザデータの記録時間の測定及びレーザ部の点灯時間の計時を開始する（ステップＳ５０１，Ｓ５０２）。ここで、計時したユーザデータの記録時間及びレーザ部の点灯時間は、ドライブコントローラ１０６を介して図１の不揮発性メモリ１０７に記憶される。そして、ユーザデータの記録時間の総計またはレーザ部の点灯時間の総計が所定時間を超えるか否かを監視し（ステップＳ５０３）、ユーザデータの記録時間の総計またはレーザ部の点灯時間の総計が所定時間を超えた場合（ステップＳ５０３；ＹＥＳ）、次に記録テストを行うまでの間隔を短く設定する（ステップＳ５０４）。以後、この時間が経過した後に記録テストを実行することが必要である旨をユーザに通知する。よって、レーザ部の劣化を早期発見できる。
【００３２】
次に、図１０は本発明の情報記録再生装置の記録テスト方法の各実施例を実行するプログラムを起動するための具体的な装置の構成を示すブロック図である。つまり、同図は上記実施例における情報記録再生装置の記録テスト方法によるソフトウェアを実行するマイクロプロセッサ等から構築されるハードウェアを示すものである。同図において、情報記録再生装置の記録テストシステムはインターフェース（以下Ｉ／Ｆと略す）１１、ＣＰＵ１２、ＲＯＭ１３、ＲＡＭ１４、表示装置１５、ハードディスク１６、キーボード１７及びＣＤ−ＲＯＭドライブ１８を含んで構成されている。また、汎用の処理装置を用意し、ＣＤ−ＲＯＭなどの読取可能な記録媒体１９には、本発明の情報記録再生装置の記録テスト方法を実行するプログラムが記憶されている。更に、Ｉ／Ｆ１１を介して外部装置から制御信号が入力され、キーボード１７によって操作者による指令又は自動的に本発明のプログラムが起動される。そして、ＣＰＵ１２は当該プログラムに従って上述の情報記録再生装置の記録テスト方法に伴う制御処理を施し、その処理結果をＲＡＭ１４やハードディスク１６等の記憶装置に格納し、必要により表示装置１５などに出力する。以上のように、本発明の情報記録再生装置の記録テスト方法を実行するプログラムが記録した記録媒体を用いることにより、既存のシステムを変えることなく、制御システムを汎用的に構築することができる。
【００３３】
なお、本発明は上記実施の形態例に限定されるものではなく、特許請求の範囲内の記載であれば多種の変形や置換可能であることは言うまでもない。
【図面の簡単な説明】
【００３４】
【図１】本発明の情報記録再生装置の構成を示すブロック図である。
【図２】図１の記録テスト部の構成を示すブロック図である。
【図３】本発明の第１の実施の形態例に係る記録テスト方法の処理を示すフローチャートである。
【図４】情報記録媒体における領域分割の内容を示す図である。
【図５】本発明の第２の実施の形態例に係る記録テスト方法の処理を示すフローチャートである。
【図６】情報記録媒体における別の領域分割の内容を示す図である。
【図７】本発明の情報記録再生装置における記録テスト処理の記録テスト実行管理動作を示すフローチャートである。
【図８】本発明の情報記録再生装置における記録テスト処理の別の記録テスト実行管理動作を示すフローチャートである。
【図９】本発明の情報記録再生装置における記録テスト処理の別の記録テスト実行管理動作を示すフローチャートである。
【図１０】本発明の情報記録再生装置の記録テスト方法の各実施例を実行するプログラムを起動するための具体的な装置の構成を示すブロック図である。
【符号の説明】
【００３５】
１００；情報記録再生装置、１０１；モータ、
１０２；回転制御部、１０３；光ピックアップ、
１０４；アクチュエータ制御部、１０５；信号制御部、
１０６；ドライブコントローラ、１０７；不揮発性メモリ、
１０８；レーザ駆動回路、１０９；ホストインターフェイス、
１１０；記録テスト部、１１１；領域分割手段、
１１２；記録テスト実行手段、１１３；記録テスト結果記憶手段、
１１４；比較手段、１１５；通知手段、１１６；判断手段、
１１７；計時手段、１１８；記録テスト制御手段、
２００；情報記録媒体、３００；ホスト装置。
【図１】
2005339747.tif 000003
【図２】
2005339747.tif 000004
【図３】
2005339747.tif 000005
【図４】
2005339747.tif 000006
【図５】
2005339747.tif 000007
【図６】
2005339747.tif 000008
【図７】
2005339747.tif 000009
【図８】
2005339747.tif 000010
【図９】
2005339747.tif 000011
【図１０】
2005339747.tif 000012